(57)【要約】【課題】複数のストリームデータのうち、携帯端末において必要とされるストリームデータを選別してストリーミング配信する。【解決手段】受信部は、撮像により生成される第１の画像、集音により生成される音声データ、及び第１の画像よりも前に予め生成された第２の画像データを受信し、解析部は、音声データ又は第２の画像データの少なくとも一方を解析し、作成部は、解析部の解析結果に応じて、第１の画像又は第２の画像の一方を含む配信用データを作成し、配信部は、配信用データを携帯端末にストリーミング配信する。本開示は、例えばテレビ会議装置に適用できる。【選択図】図２
2012222642.tif 000002
【特許請求の範囲】
【請求項１】
撮像により生成される第１の画像、集音により生成される音声データ、及び前記第１の画像よりも前に予め生成された第２の画像データを受信する受信部と、
前記音声データ又は前記第２の画像データの少なくとも一方を解析する解析部と、
前記解析部の解析結果に応じて、前記第１の画像又は前記第２の画像の一方を含む配信用データを作成する作成部と、
前記配信用データを携帯端末にストリーミング配信する配信部と
を含むデータ配信装置。
【請求項２】
前記作成部は、前記第２の画像データを含む第１の前記配信用データがストリーミング配信されている場合、予め決められた閾値未満の音量の音声を表す前記音声データが継続して受信されたとの解析結果が得られたことに対応して、前記第１の画像データを含む第２の前記配信用データを作成する
請求項１に記載のデータ配信装置。
【請求項３】
前記作成部は、前記第２の配信用データがストリーミング配信されている場合、受信される前記第２の画像データを表す画像の内容が変化したとの解析結果が得られたことに対応して、前記第１の配信用データを作成する
請求項２に記載のデータ配信装置。
【請求項４】
前記受信部は、第１の通信方法にしたがって、前記第１の画像、前記音声データ、及び前記第２の画像データを受信し、
前記配信部は、前記第１の通信方法とは異なる第２の通信方法にしたがって、前記配信用データを前記携帯端末にストリーミング配信する
請求項１に記載のデータ配信装置。
【請求項５】
前記作成部は、前記第１又は第２の画像の一方の他、前記音声データも含む前記配信用データを作成する
請求項１に記載のデータ配信装置。
【請求項６】
前記配信部は、前記配信用データを１のストリームにより配信する
請求項５に記載のデータ配信装置。
【請求項７】
携帯端末にデータをストリーミング配信するデータ配信装置のデータ配信方法において、
前記データ配信装置による、
撮像により生成される第１の画像、集音により生成される音声データ、及び前記第１の画像よりも前に予め生成された第２の画像データを受信する受信ステップと、
前記音声データ又は前記第２の画像データの少なくとも一方を解析する解析ステップと、
前記解析ステップの解析結果に応じて、前記第１の画像又は前記第２の画像の一方を含む配信用データを作成する作成ステップと、
前記配信用データを前記携帯端末にストリーミング配信する配信ステップと
を含むデータ配信方法。
【請求項８】
コンピュータを、
撮像により生成される第１の画像、集音により生成される音声データ、及び前記第１の画像よりも前に予め生成された第２の画像データを受信させる受信制御部と、
前記音声データ又は前記第２の画像データの少なくとも一方を解析する解析部と、
前記解析部の解析結果に応じて、前記第１の画像又は前記第２の画像の一方を含む配信用データを作成する作成部と、
前記配信用データを携帯端末にストリーミング配信する配信部と
して機能させるためのプログラム。
【発明の詳細な説明】
【技術分野】
【０００１】
本開示は、データ配信装置、データ配信方法、及びプログラムに関し、特に、例えば、複数のストリームデータのうち、携帯端末に必要とされるストリームデータを選別してストリーミング配信するようにしたデータ配信装置、データ配信方法、及びプログラムに関する。
【背景技術】
【０００２】
画像及び音声をストリーミング配信する配信技術が存在する（例えば、特許文献１参照）。この配信技術によれば、例えば、会議室においてプレゼンテーションが行われる場合、プレゼンテーションの様子や、プレゼンテーション用の資料等をストリーミング配信するようにして、他の会議室においてもプレゼンテーションを視聴させることができる。
【０００３】
すなわち、例えば、会議室に設けられたディスプレイに表示される資料を参照しつつ、プレゼンテーションが行われる場合、会議室に設けられた第１の通信装置は、カメラにより会議室の様子を撮像し、マイクロホンにより会議室での発話を集音する。
【０００４】
そして、第１の通信装置は、撮像により得られる撮像画像、集音により得られる音声データ、及びディスプレイに表示されるプレゼンテーション用の資料を表す資料画像を、ストリームデータとして、他の会議室に設けられた第２の通信装置にストリーミング配信する。
【０００５】
第２の通信装置は、第１の通信装置からの撮像画像及び資料画像を、他の会議室に設けられたディスプレイに、ピクチャインピクチャ等で重畳して表示し、第１の通信装置からの音声データをスピーカから出力させる。
【０００６】
これにより、第２の通信装置が設けられた他の会議室においても、プレゼンテーションを視聴できるものとなる。
【先行技術文献】
【特許文献】
【０００７】
【特許文献１】特表２０１０−５３４９５５号公報
【発明の概要】
【発明が解決しようとする課題】
【０００８】
上述の配信技術では、いずれかの会議室にいなければ、プレゼンテーションを視聴することができない。
【０００９】
そこで、携帯電話機等に代表される携帯端末を用いて、外出先等でもプレゼンテーションを視聴できるようにすることが望ましい。
【００１０】
しかしながら、携帯端末のディスプレイは、会議室に設けられるようなディスプレイと比較して非常に小さい。したがって、第１の通信装置からストリーミング配信される撮像画像及び資料画像を携帯端末のディスプレイに表示させると、非常に見にくいものとなってしまう。
【００１１】
このため、例えば、携帯端末のユーザは、必要に応じて、携帯端末のディスプレイに表示させる画像を、撮像画像又は資料画像の一方に切替える切替操作を行わなければならず、非常に面倒であった。
【００１２】
すなわち、例えば、ユーザは、プレゼンテーションの視聴中に、プレゼンテーションの内容を理解するために必要な資料画像を表示させるようにする。また、例えば、ユーザは、プレゼンテーションが終了し、質疑応答等が行われるときには、質疑応答の内容を理解するために必要な撮像画像を表示させる。
【００１３】
本開示は、このような状況に鑑みてなされたものであり、携帯端末において必要とされるストリームデータを選別してストリーミング配信するものである。
【課題を解決するための手段】
【００１４】
本開示の一側面のデータ配信装置は、撮像により生成される第１の画像、集音により生成される音声データ、及び前記第１の画像よりも前に予め生成された第２の画像データを受信する受信部と、前記音声データ又は前記第２の画像データの少なくとも一方を解析する解析部と、前記解析部の解析結果に応じて、前記第１の画像又は前記第２の画像の一方を含む配信用データを作成する作成部と、前記配信用データを携帯端末にストリーミング配信する配信部とを含むデータ配信装置である。
【００１５】
前記作成部には、前記第２の画像データを含む第１の前記配信用データがストリーミング配信されている場合、予め決められた閾値未満の音量の音声を表す前記音声データが継続して受信されたとの解析結果が得られたことに対応して、前記第１の画像データを含む第２の前記配信用データを作成させるようにすることができる。
【００１６】
前記作成部には、前記第２の配信用データがストリーミング配信されている場合、受信される前記第２の画像データを表す画像の内容が変化したとの解析結果が得られたことに対応して、前記第１の配信用データを作成させるようにすることができる。
【００１７】
前記受信部には、第１の通信方法にしたがって、前記第１の画像、前記音声データ、及び前記第２の画像データを受信させ、前記配信部には、前記第１の通信方法とは異なる第２の通信方法にしたがって、前記配信用データを前記携帯端末にストリーミング配信させるようにすることができる。
【００１８】
前記作成部には、前記第１又は第２の画像の一方の他、前記音声データも含む前記配信用データを作成させるようにすることができる。
【００１９】
前記配信部には、前記配信用データを１のストリームにより配信させるようにすることができる。
【００２０】
本開示の一側面のデータ配信方法は、携帯端末にデータをストリーミング配信するデータ配信装置のデータ配信方法であって、前記データ配信装置による、撮像により生成される第１の画像、集音により生成される音声データ、及び前記第１の画像よりも前に予め生成された第２の画像データを受信する受信ステップと、前記音声データ又は前記第２の画像データの少なくとも一方を解析する解析ステップと、前記解析ステップの解析結果に応じて、前記第１の画像又は前記第２の画像の一方を含む配信用データを作成する作成ステップと、前記配信用データを前記携帯端末にストリーミング配信する配信ステップとを含むデータ配信方法である。
【００２１】
本開示の一側面のプログラムは、コンピュータを、撮像により生成される第１の画像、集音により生成される音声データ、及び前記第１の画像よりも前に予め生成された第２の画像データを受信させる受信制御部と、前記音声データ又は前記第２の画像データの少なくとも一方を解析する解析部と、前記解析部の解析結果に応じて、前記第１の画像又は前記第２の画像の一方を含む配信用データを作成する作成部と、前記配信用データを携帯端末にストリーミング配信する配信部として機能させるためのプログラムである。
【００２２】
本開示の一側面によれば、撮像により生成される第１の画像、集音により生成される音声データ、及び前記第１の画像よりも前に予め生成された第２の画像データが受信され、前記音声データ又は前記第２の画像データの少なくとも一方が解析され、その解析結果に応じて、前記第１の画像又は前記第２の画像の一方を含む配信用データが作成され、前記配信用データが携帯端末にストリーミング配信される。
【発明の効果】
【００２３】
本開示によれば、携帯端末において必要とされるストリームデータを選別してストリーミング配信することが可能となる。
【図面の簡単な説明】
【００２４】
【図１】本開示におけるテレビ会議システムの構成例を示すブロック図である。
【図２】モバイル配信サーバの構成例を示すブロック図である。
【図３】モバイル配信処理を説明するためのフローチャートである。
【図４】コンピュータの構成例を示すブロック図である。
【発明を実施するための形態】
【００２５】
以下、発明を実施するための形態（以下、実施の形態という）について説明する。なお、説明は以下の順序で行う。
１．本実施の形態（テレビ会議の状況に応じて、モバイル端末に配信するストリームデータを変更するときの一例）
２．変形例
【００２６】
＜１．本実施の形態＞
[テレビ会議システム１の構成例]
図１は、本実施の形態であるテレビ会議システム１の構成例を示している。
【００２７】
このテレビ会議システム１は、テレビ会議装置２１1、テレビ会議装置２１2、モバイル端末２２、及びモバイル配信サーバ２３により構成されており、それぞれが、インターネット等に代表されるネットワーク２４を介して接続される。
【００２８】
なお、このテレビ会議システム１は、特に、モバイル配信サーバ２３において、テレビ会議装置２１1とテレビ会議装置２１2との間で通信される複数のストリームデータのうち、モバイル端末２２に配信すべきストリームデータを選別してストリーミング配信するものである。
【００２９】
テレビ会議装置２１1及び２１2は、テレビ会議に使用される。すなわち、テレビ会議装置２１1及び２１2は、例えばRTP（real-time transport protocol）を用いた第１の通信方式により、複数のストリームデータを、それぞれ異なるストリームとして、ネットワーク２４を介して相互に通信する。
【００３０】
また、テレビ会議装置２１1及び２１2の間で通信される複数のストリームデータは、第１の通信方式により、ネットワーク２４を介してモバイル配信サーバ２３に供給される。
【００３１】
すなわち、例えば、テレビ会議装置２１1は、そのテレビ会議装置２１1自体が設置された会議室等で発話される音声を集音し、その結果得られる音声データを、テレビ会議装置２１2及びモバイル配信サーバ２３に送信する。
【００３２】
また、例えば、テレビ会議装置２１1は、そのテレビ会議装置２１1自体が設置された会議室で行われるプレゼンテーションに用いられる資料を表す資料データを、テレビ会議装置２１2及びモバイル配信サーバ２３に送信する。なお、資料データは、テレビ会議が行われる前に、プレゼンテーションを行うテレビ会議の参加者によって予め用意される。
【００３３】
さらに、例えば、テレビ会議装置２１1は、そのテレビ会議装置２１1自体が設置された会議室等で行われる会議の様子を撮像し、その結果得られる撮像画像を表す撮像データを、テレビ会議装置２１2及びモバイル配信サーバ２３に送信する。
【００３４】
テレビ会議装置２１2は、テレビ会議装置２１1から、それぞれ別々のストリームとして送信されてくる音声データ、資料データ、及び撮像データを受信する。そして、例えば、テレビ会議装置２１2は、受信した音声データに対応する音声を図示せぬスピーカから出力する。また、例えば、テレビ会議装置２１2は、受信した資料データに対応する資料画像に、受信した撮像データに対応する撮像画像をピクチャインピクチャにより重畳して、図示せぬディスプレイに表示させる。
【００３５】
さらに、例えば、テレビ会議装置２１2は、そのテレビ会議装置２１2自体が設置された会議室等で発話される音声を集音し、その結果得られる音声データを、テレビ会議装置２１1に送信する。また、例えば、テレビ会議装置２１2は、そのテレビ会議装置２１2自体が設置された会議室等で行われる会議の様子を撮像し、その結果得られる撮像データを、テレビ会議装置２１1に送信する。
【００３６】
なお、テレビ会議装置２１1は、テレビ会議装置２１2からの撮像データを受信する。そして、テレビ会議装置２１1は、資料データに対応する資料画像に、受信した撮像データに対応する撮像画像をピクチャインピクチャにより重畳して、図示せぬディスプレイに表示させる。また、テレビ会議装置２１1は、テレビ会議装置２１2からの音声データを受信し、受信した音声データに対応する音声を図示せぬスピーカに出力する。
【００３７】
モバイル端末２２は、例えばHTTP(hypertext transfer protocol)を用いた第２の通信方式により通信可能なモバイル端末である。また、モバイル端末２２は、Webブラウザで閲覧可能なデータ形式により構成され、第２の通信方式で配信される配信用データの配信要求を、ネットワーク２４を介してモバイル配信サーバ２３に行う。
【００３８】
そして、モバイル端末２２は、配信要求に応じて、第２の通信方式によりモバイル配信サーバ２３からネットワーク２４を介して配信される配信用データを受信する。
【００３９】
また、モバイル端末２２は、受信した配信用データを、例えばHTML5に対応するWebブラウザを用いて、ディスプレイ等に出力する。
【００４０】
さらに、モバイル端末２２は、ネットワーク２４を介して、モバイル配信サーバ２３に、配信用データの配信を停止する配信停止要求を行う。これにより、モバイル配信サーバ２３は、配信用データの配信を停止する。
【００４１】
モバイル配信サーバ２３は、第１の通信方式にしたがって、テレビ会議装置２１1からネットワーク２４を介して供給される音声データ、資料データ、及び撮像データを受信する。
【００４２】
また、モバイル配信サーバ２３は、モバイル端末２２からの配信要求に応じて、受信した資料データ又は撮像データの一方、及び受信した音声データを含む配信用データを作成し、ネットワーク２４を介してモバイル端末２２に供給する。
【００４３】
すなわち、例えば、モバイル配信サーバ２３は、資料データ又は撮像データの一方、及び音声データとともに、第２の通信方式により配信するために必要な制御データ等により構成される配信用データを作成し、ネットワーク２４を介して、モバイル端末２２に供給する。
【００４４】
[モバイル配信サーバ２３の構成例]
次に、図２は、モバイル配信サーバ２３の構成例を示している。
【００４５】
このモバイル配信サーバ２３は、受信部４１、解析部４２、制御部４３、作成部４４、及びは配信部４５から構成される。
【００４６】
受信部４１は、モバイル端末２２からネットワーク２４を介して供給される配信要求又は配信停止要求を、制御部４３に供給する。
【００４７】
受信部４１は、別々のストリームとして、テレビ会議装置２１1からネットワーク２４を介して供給される音声データ、資料データ、及び撮像データを受信し、解析部４２及び作成部４４に供給する。
【００４８】
解析部４２は、受信部４１から供給される音声データに基づいて、テレビ会議装置２１1が設けられた会議室で、音量が所定の閾値未満となる無音声状態が所定の時間だけ続いたか否かを解析する。
【００４９】
そして、解析部４２は、テレビ会議装置２１1が設けられた会議室で、音量が所定の閾値未満となる無音声状態が所定の時間だけ続いたとの解析結果を得た場合、その旨を制御部４３に通知する。
【００５０】
また、解析部４２は、受信部４１から供給される資料データに基づいて、テレビ会議装置２１1から配信される資料の内容が変化したか否かを解析する。
【００５１】
そして、解析部４２は、テレビ会議装置２１1から配信される資料の内容が変化したとの解析結果を得た場合、その旨を制御部４３に通知する。
【００５２】
制御部４３は、受信部４１から配信要求又は配信停止要求が供給されたことに対応して、作成部４４及び配信部４５を制御する。また、例えば、制御部４３は、解析部４２からの通知内容に応じて、作成部４４及び配信部４５を制御する。
【００５３】
作成部４４は、制御部４３からの制御にしたがって、受信部４１からの資料データ又は撮像データの一方、及び受信部４１からの音声データを含む配信用データを作成し、配信部４５に供給する。
【００５４】
配信部４５は、作成部４４からの配信用データを、１のストリームとして、第２の通信方式により、ネットワーク２４を介してモバイル端末２２に供給する。
【００５５】
なお、作成部４４は、受信部４１からの音声データを含まずに、受信部４１からの資料データ又は撮像データの一方を含む配信データを作成し、配信部４５に供給するようにしてもよい。
【００５６】
[モバイル配信サーバ２３の動作説明]
次に、図３のフローチャートを参照して、モバイル配信サーバ２３が行うモバイル配信処理について説明する。
【００５７】
ステップＳ１において、受信部４１は、モバイル端末２２からネットワーク２４を介して供給される配信要求を受信し、制御部４３に供給する。制御部４３は、受信部４１からの配信要求に応じて、作成部４４及び配信部４５を制御する。
【００５８】
このとき、ステップＳ２では、作成部４４は、制御部４３からの制御にしたがって、受信部４１からの音声データ及び資料データを含む配信用データを作成し、配信部４５に供給する。
【００５９】
ステップＳ３では、配信部４５は、制御部４３からの制御にしたがって、作成部４４からの配信用データを、１のストリームとして、ネットワーク２４を介してモバイル端末２２に供給する。
【００６０】
これにより、モバイル端末２２では、配信部４５からの配信用データに基づいて、音声データに対応する音声が出力されるとともに、資料データに対応する資料画像が表示される。
【００６１】
ステップＳ４では、制御部４３は、受信部４１から配信停止要求が供給されたか否かに基づいて、受信部４１によりモバイル端末２２からの配信停止要求が受信されたか否かを判定し、受信部４１により配信停止要求が受信されていないと判定した場合、処理をステップＳ５に進める。
【００６２】
ステップＳ５では、解析部４２は、受信部４１から供給される音声データに基づいて、テレビ会議装置２１1が設けられた会議室で、音量が所定の閾値未満となる無音声状態が所定の時間だけ続いたか否かを解析する。
【００６３】
そして、解析部４２は、無音声状態が所定の時間だけ続いたとの解析結果を得た場合、その旨を制御部４３に通知して、処理をステップＳ６に進める。
【００６４】
制御部４３は、解析部４２から、無音声状態が所定の時間だけ続いたとの解析結果を得た旨が通知された場合、例えば、テレビ会議装置２１1が設けられた会議室で行われていたプレゼンテーションが終了（一時的に中断）したものと判断する。
【００６５】
また、プレゼンテーションの終了後には、参加者の間で質疑応答等が行われることが想定される。したがって、モバイル端末２２には、プレゼンテーションの資料に代えて、テレビ会議装置２１1が設けられた会議室の様子を撮像して得られる撮像画像を配信するようにして、テレビ会議装置２１1が設けられた会議室の様子を表示させることが望ましい。
【００６６】
よって、制御部４３は、解析部４２から、無音声状態が所定の時間だけ続いたとの解析結果を得た旨が通知されたことに応じて、作成部４４を制御して、後述するステップＳ６の処理を実行させる。すなわち、ステップＳ６では、作成部４４は、制御部４３からの制御にしたがって、受信部４１からの音声データ及び撮像データを含む配信用データを作成し、配信部４５に供給して、処理はステップＳ３に戻る。
【００６７】
ステップＳ３では、配信部４５は、作成部４４からの配信用データを、ネットワーク２４を介して、モバイル端末２２に供給する。これにより、モバイル端末２２では、配信部４５からの配信用データに基づいて、音声データに対応する音声が出力され、撮像データに対応する撮像画像が表示される。ステップＳ３の処理の終了後、処理はステップＳ４に進められ、それ以降同様の処理が繰り返される。
【００６８】
また、ステップＳ５では、解析部４２は、テレビ会議装置２１1が設けられた会議室で、無音声状態が所定の時間以上続かなかったとの解析結果を得た場合、処理をステップＳ７に進める。
【００６９】
ステップＳ７では、解析部４２は、受信部４１から供給される資料データに基づいて、テレビ会議装置２１1から配信される資料の内容が変化したか否かを解析する。そして、解析部４２は、テレビ会議装置２１1から配信される資料の内容が変化したとの解析結果を得た場合、その旨を制御部４３に通知して、処理をステップＳ８に進める。
【００７０】
制御部４３は、解析部４２から、テレビ会議装置２１1から配信される資料の内容が変化したとの解析結果を得た旨が通知された場合、例えば、テレビ会議装置２１1が設けられた会議室で行われている質疑応答等が終了し、プレゼンテーションが再開されたものと判断する。
【００７１】
この場合、モバイル端末２２には、プレゼンテーションに用いられる資料を配信して表示させることが望ましい。
【００７２】
よって、制御部４３は、解析部４２から、テレビ会議装置２１1から配信される資料の内容が変化したとの解析結果を得た旨が通知された場合、作成部４４を制御して、ステップＳ８の処理を実行させる。すなわち、ステップＳ８では、作成部４４は、制御部４３からの制御にしたがって、受信部４１からの音声データ及び資料データを含む配信用データを作成し、配信部４５に供給して、処理はステップＳ３に戻る。
【００７３】
ステップＳ３では、配信部４５は、作成部４４からの配信用データを、ネットワーク２４を介して、モバイル端末２２に供給する。これにより、モバイル端末２２では、配信部４５からの配信用データに基づいて、音声データに対応する音声が出力され、資料データに対応する資料画像が表示される。ステップＳ３の処理の終了後、処理はステップＳ４に進められ、それ以降同様の処理が繰り返される。
【００７４】
なお、ステップＳ４では、制御部４３は、受信部４１から配信停止要求が供給されたか否かに基づいて、受信部４１により配信停止要求が受信されたと判定した場合、モバイル配信処理を終了させる。
【００７５】
以上説明したように、モバイル配信処理では、配信部４５が、資料データ又は撮像データの一方を、モバイル端末２２にストリーミング配信するようにした。
【００７６】
よって、モバイル端末２２の図示せぬディスプレイにおいて、資料画像と撮像画像との両方が表示されることにより、モバイル端末２２のディスプレイが見にくくなってしまう事態を防止することが可能となる。
【００７７】
また、モバイル配信処理では、撮像データ又は資料データのうち、テレビ会議（プレゼンテーション）の様子により注目すべき画像データをモバイル端末２２に配信するようにしたので、撮像画像及び資料画像の両方を表示しなくても、支障なくテレビ会議の内容を理解し、テレビ会議に参加することができる。
【００７８】
＜２．変形例＞
本実施の形態では、配信用ストリームを作成してモバイル端末２２に配信するモバイル配信サーバ２３を設けるようにしたが、その他、例えば、テレビ会議装置２１2が、モバイル配信サーバ２３としても機能するように構成してもよい。
【００７９】
なお、本技術は以下のような構成もとることができる。
（１）撮像により生成される第１の画像、集音により生成される音声データ、及び前記第１の画像よりも前に予め生成された第２の画像データを受信する受信部と、前記音声データ又は前記第２の画像データの少なくとも一方を解析する解析部と、前記解析部の解析結果に応じて、前記第１の画像又は前記第２の画像の一方を含む配信用データを作成する作成部と、前記配信用データを携帯端末にストリーミング配信する配信部とを含むデータ配信装置。
（２）前記作成部は、前記第２の画像データを含む第１の前記配信用データがストリーミング配信されている場合、予め決められた閾値未満の音量の音声を表す前記音声データが継続して受信されたとの解析結果が得られたことに対応して、前記第１の画像データを含む第２の前記配信用データを作成する前記（１）に記載のデータ配信装置。
（３）前記作成部は、前記第２の配信用データがストリーミング配信されている場合、受信される前記第２の画像データを表す画像の内容が変化したとの解析結果が得られたことに対応して、前記第１の配信用データを作成する前記（１）又は（２）に記載のデータ配信装置。
（４）前記受信部は、第１の通信方法にしたがって、前記第１の画像、前記音声データ、及び前記第２の画像データを受信し、前記配信部は、前記第１の通信方法とは異なる第２の通信方法にしたがって、前記配信用データを前記携帯端末にストリーミング配信する前記（１）乃至（３）に記載のデータ配信装置。
（５）前記作成部は、前記第１又は第２の画像の一方の他、前記音声データも含む前記配信用データを作成する前記（１）乃至（４）に記載のデータ配信装置。
（６）前記配信部は、前記配信用データを１のストリームにより配信する前記（１）乃至（５）に記載のデータ配信装置。
【００８０】
ところで、上述した一連の処理は、ハードウェアにより実行することもできるし、ソフトウェアにより実行することもできる。一連の処理をソフトウェアにより実行する場合には、そのソフトウェアを構成するプログラムが、専用のハードウェアに組み込まれているコンピュータ、又は、各種のプログラムをインストールすることで、各種の機能を実行することが可能な、例えば汎用のコンピュータなどに、プログラム記録媒体からインストールされる。
【００８１】
[コンピュータの構成例]
図４は、上述した一連の処理をプログラムにより実行するコンピュータのハードウェアの構成例を示すブロック図である。
【００８２】
CPU（Central Processing Unit）６１は、ROM（Read Only Memory）６２、又は記憶部６８に記憶されているプログラムに従って各種の処理を実行する。RAM（Random Access Memory）６３には、CPU６１が実行するプログラムやデータ等が適宜記憶される。これらのCPU６１、ROM６２、及びRAM６３は、バス６４により相互に接続されている。
【００８３】
CPU６１にはまた、バス６４を介して入出力インタフェース６５が接続されている。入出力インタフェース６５には、キーボード、マウス、マイクロホン等よりなる入力部６６、ディスプレイ、スピーカ等よりなる出力部６７が接続されている。CPU６１は、入力部６６から入力される指令に対応して各種の処理を実行する。そして、CPU６１は、処理の結果を出力部６７に出力する。
【００８４】
入出力インタフェース６５に接続されている記憶部６８は、例えばハードディスクからなり、CPU６１が実行するプログラムや各種のデータを記憶する。通信部６９は、インターネットやローカルエリアネットワーク等のネットワークを介して外部の装置と通信する。
【００８５】
また、通信部６９を介してプログラムを取得し、記憶部６８に記憶してもよい。
【００８６】
入出力インタフェース６５に接続されているドライブ７０は、磁気ディスク、光ディスク、光磁気ディスク、或いは半導体メモリ等のリムーバブルメディア７１が装着されたとき、それらを駆動し、そこに記録されているプログラムやデータ等を取得する。取得されたプログラムやデータは、必要に応じて記憶部６８に転送され、記憶される。
【００８７】
コンピュータにインストールされ、コンピュータによって実行可能な状態とされるプログラムを記録（記憶）する記録媒体は、図４に示すように、磁気ディスク（フレキシブルディスクを含む）、光ディスク（CD-ROM(Compact Disc-Read Only Memory),DVD(Digital Versatile Disc)を含む）、光磁気ディスク（ＭＤ（Mini-Disc）を含む）、もしくは半導体メモリ等よりなるパッケージメディアであるリムーバブルメディア７１、又は、プログラムが一時的もしくは永続的に格納されるROM６２や、記憶部６８を構成するハードディスク等により構成される。記録媒体へのプログラムの記録は、必要に応じてルータ、モデム等のインタフェースである通信部６９を介して、ローカルエリアネットワーク、インターネット、デジタル衛星放送といった、有線又は無線の通信媒体を利用して行われる。
【００８８】
なお、本明細書において、上述した一連の処理を記述するステップは、記載された順序に沿って時系列的に行われる処理はもちろん、必ずしも時系列的に処理されなくとも、並列的あるいは個別に実行される処理をも含むものである。
【００８９】
また、本明細書において、システムとは、複数の装置により構成される装置全体を表すものである。
【００９０】
なお、本発明の実施の形態は、上述した本実施の形態に限定されるものではなく、本発明の要旨を逸脱しない範囲において種々の変更が可能である。
【符号の説明】
【００９１】
１  テレビ会議システム，  ２１1,２１2  テレビ会議装置，  ２２  モバイル端末，  ２３  モバイル配信サーバ，  ２４  ネットワーク，  ４１  受信部，  ４２  解析部，  ４３  制御部，  ４４  作成部，  ４５  配信部
【図１】
2012222642.tif 000003
【図２】
2012222642.tif 000004
【図３】
2012222642.tif 000005
【図４】
2012222642.tif 000006